(57)【要約】【課題】常温において素早く硬化することで部材を短時間で固定でき、その場合にも耐衝撃性に優れる接着剤組成物、その硬化物及びそれにより接合された接合体を提供する。【解決手段】（１）（メタ）アクリロイル基を有する重合性単量体、（２）重合開始剤、（３）還元剤、（４）ポリオルガノシロキサンおよびポリアルキル（メタ）アクリレートを含む重合体、（５）（メタ）アクリロイル基を有する重合性単量体に可溶なエラストマーを含有してなるアクリル系接着剤組成物であって、前記ポリオルガノシロキサンおよびポリアルキル（メタ）アクリレートを含む重合体が前記（メタ）アクリル酸エステル単量体に膨潤可能であることを特徴とする二剤型アクリル系接着剤組成物並びにこの組成物により二つの被着体を接合してなる接合体。【選択図】  なし【特許請求の範囲】
【請求項１】
（１）（メタ）アクリロイル基を有する重合性単量体、（２）重合開始剤、（３）還元剤、（４）ポリオルガノシロキサンおよびポリアルキル（メタ）アクリレートを含む重合体、（５）（メタ）アクリル酸エステル単量体に可溶なエラストマーを含有してなるアクリル系接着剤組成物であって、前記ポリオルガノシロキサンおよびポリアルキル（メタ）アクリレートを含む重合体が前記（メタ）アクリロイル基を有する重合性単量体に膨潤可能であることを特徴とする二剤型アクリル系接着剤組成物。
【請求項２】
（１）（メタ）アクリロイル基を有する重合性単量体がメチルメタクリレートである請求項１記載の二剤型アクリル系接着剤組成物。
【請求項３】
（１）（メタ）アクリロイル基を有する重合性単量体が２-ヒドロキシエチルメタクリレートである請求項１に記載の二剤型アクリル系接着剤組成物。
【請求項４】
（１）（メタ）アクリロイル基を有する重合性単量体が２−ヒドロキシエチルメタクリレートの６−ヘキサノリド付加重合物と無水リン酸との反応生成物である請求項１に記載の二剤型アクリル系接着剤組成物。
【請求項５】
（２）重合開始剤がクメンハイドロパーオキサイドである請求項１〜４のいずれか一項に記載の二剤型アクリル系接着剤組成物。
【請求項６】
（３）還元剤がバナジルアセチルアセトネートである請求項１〜５のいずれか一項に記載の二剤型アクリル系接着剤組成物。
【請求項７】
（４）ポリオルガノシロキサンおよびポリアルキル（メタ）アクリレートを含む重合体を（１）〜（５）の合計１００質量部に対し１〜１４質量部含む請求項１〜６のいずれか一項に記載の二剤型アクリル系接着剤組成物。
【請求項８】
（５）（メタ）アクリロイル基を有する重合性単量体に可溶なエラストマーがアクリロニトリル−ブタジエンゴムであり、前記アクリロニトリル−ブタジエンゴムは、アクリロニトリルの含有量が１５重量％以上である請求項１〜７のいずれか一項に記載の二剤型アクリル系接着剤組成物。
【請求項９】
請求項１〜８項記載のうちのいずれか１項に記載の二剤型アクリル系接着剤組成物により二つの被着体を接合してなることを特徴とする接合体。
【発明の詳細な説明】
【技術分野】
【０００１】
本発明は、高速硬化性に優れる二剤型アクリル系接着剤組成物、及びそれにより接合された接合体に関する。
【背景技術】
【０００２】
近年、工場における組立ラインにおいて、高効率化のために速硬化型の接着剤を用いる
ことが多くなってきている。このような用途には加熱炉などの装置を用いずとも硬化可能
な常温速硬化型の接着剤が適している。常温速硬化型の接着剤としては、二剤速硬化型エポキシ接着剤、シアノアクリレート系瞬間接着剤、第二世代アクリル系接着剤（以下、「ＳＧＡ」という。）等が知られている。
【０００３】
二剤速硬化型エポキシ接着剤は、第一剤と第二剤を正確に計量して混合しなければ接着性能が著しく低下するので作業性が悪い。また、シアノアクリレート系瞬間接着剤は、その硬化物が硬く脆いために衝撃強度が低いので組立ラインなどで使用するには不向きである。
【０００４】
一方、ＳＧＡも二剤型ではあるが、第一剤と第二剤の配合比が二剤速硬化型エポキシ接着剤に比べて厳密ではなく、所定の配合比から少々外れた場合でも接着性能が大きく低下することがないので、作業性に優れている。また、ＳＧＡは衝撃強度や剥離強度が強いという利点を有する。さらに、ＳＧＡは常温で数分から数十分で硬化するため、常温速硬化型接着剤として電子部品、土木建築材料、自動車部材等の組立てにおいて使用されている。
【０００５】
近年、組立ラインの高効率化の観点から、上記のＳＧＡの利点に加え、接着強度が優れたＳＧＡが求められている。ＳＧＡとして、例えば、特許文献１ではニトリルブタジエンラバー、ＭＢＳ樹脂、さらには（メタ）アクリル系重合性単量体を用いた接着剤組成物が提案されている。
【０００６】
しかし、特許文献１に具体的に開示されている接着剤組成物では接着強度が十分ではなく、さらなる改良が望まれていた。
【先行技術文献】
【特許文献】
【０００７】
【特許文献１】特開２００５―１７９５４８号報
【発明の概要】
【発明が解決しようとする課題】
【０００８】
本発明は、常温において素早く硬化することで部材を短時間で固定でき、その場合にも接着強度の優れる接着剤組成物を提供することを目的とする。
【課題を解決するための手段】
【０００９】
本発明は、（１）（メタ）アクリロイル基を有する重合性単量体、（２）重合開始剤、（３）還元剤、（４）ポリオルガノシロキサンおよびポリアルキル（メタ）アクリレートを含む重合体、（５）（メタ）アクリル酸エステル単量体に可溶なエラストマーを含有してなるアクリル系接着剤組成物であって、前記ポリオルガノシロキサンおよびポリアルキル（メタ）アクリレートを含む重合体が前記（メタ）アクリロイル基を有する重合性単量体に膨潤可能であることを特徴とする二剤型アクリル系接着剤組成物であり、さらにこの組成物により２つの被着体を接合してなる接合体である。
【発明の効果】
【００１０】
本発明の接着剤組成物は常温において素早く硬化することで部材を短時間で固定でき、その場合にも接着強度に優れる。そのため当該組成物を用いると接着強度に優れた接合体を短時間で製造することができる。
【発明を実施するための形態】
【００１１】
本発明の二剤型アクリル系接着剤組成物は、（１）（メタ）アクリロイル基を有する重合性単量体、（２）重合開始剤、（３）還元剤、（４）ポリオルガノシロキサンおよびポリアルキル（メタ）アクリレートを含む重合体、（５）（メタ）アクリル酸エステル単量体に可溶なエラストマー、の五つの成分を含有する。本組成物は、（２）成分を含み（３）成分を含まない第一剤と、（３）成分を含み（２）成分を含まない第二剤を混合して得られる。以下、各成分について詳細に説明する。
なお本発明において、「（メタ）アクリル」は「アクリル」及び「メタクリル」の総称であり、「（メタ）アクリレート」は「アクリレート」及び「メタクリレート」の総称である。また、「（メタ）アクリロイル基」は「アクリロイル基」及び「メタクリロイル基」の総称であり、化学式
ＣＨ２＝Ｃ（Ｒ）−Ｃ（＝Ｏ）−（Ｒは水素原子又はメチル基）
で表される官能基である。
【００１２】
（１）（メタ）アクリロイル基を有する重合性単量体
本アクリル系接着剤組成物（以下、「本組成物」ともいう。）に配合される（メタ）アクリロイル基を有する重合性単量体（１）は、本組成物の粘度や接着力を調整するための成分である。（１）成分としては、例えば以下の単量体が挙げられる。メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、ヘプチル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、デシル（メタ）アクリレート、ラウリル（メタ）アクリレート、トリデシル（メタ）アクリレート、ステアリル（メタ）アクリレート、シクロヘキシル（メタ）アクリレート、ベンジル（メタ）アクリレート、フェニル（メタ）アクリレート、フェノキシエチル（メタ）アクリレート、ジシクロペンテニル（メタ）アクリレート、ジシクロペンテニルオキシエチル（メタ）アクリレート、イソボルニル（メタ）アクリレート、ジシクロペンタニル（メタ）アクリレート及びアダマンチル（メタ）アクリレート等のアルキル（メタ）アクリレート；メトキシエチル（メタ）アクリレート、エトキシエチル（メタ）アクリレート及びブトキシエチル（メタ）アクリレート等のアルコキシアルキル（メタ）アクリレート；２−ヒドロキシエチル（メタ）アクリレート、２−ヒドロキシプロピル（メタ）アクリレート、４−ヒドロキシブチル（メタ）アクリレート、２−ヒドロキシ−３−フェノキシプロピル（メタ）アクリレート等の水酸基含有（メタ）アクリレート；（メタ）アクリル酸；ω−カルボキシ−ポリカプロラクトンモノ（メタ）アクリレート等のポリカプロラクトン変性（メタ）アクリル酸エステル；２−（メタ）アクリロイルオキシエチルコハク酸モノエステル、２−（メタ）アクリロイルオキシエチルヘキサヒドロフタル酸モノエステル、２−（メタ）アクリロイルオキシエチルフタル酸モノエステル、２−（メタ）アクリロイルオキシエチル−２−ヒドロキシエチル−フタル酸モノエステル及び２−（メタ）アクリロイルオキシエチル−２−ヒドロキシプロピル−フタル酸モノエステル等の（メタ）アクリロイルオキシアルキルジカルボン酸モノエステル；２−エチルヘキシルジエチレングリコール（メタ）アクリレート等のアルキレングリコール変性（メタ）アクリレート；フェノキシポリエチレングリコール（メタ）アクリレート及びノニルフェノキシポリエチレングリコール（メタ）アクリレート等のアルコキシポリアルキレングリコール変性（メタ）アクリレート；エチレングリコールジ（メタ）アクリレート、ポリエチレングリコールジ（メタ）アクリレート、１，３−プロピレングリコールジ（メタ）アクリレート、ポリプロピレングリコールジ（メタ）アクリレート、１，３−ブチレングリコールジ（メタ）アクリレート、１，４−ブチレングリコールジ（メタ）アクリレート、ポリブチレングリコールジ（メタ）アクリレート、ネオペンチルグリコールジ（メタ）アクリレート、１，６−���キサンジオールジ（メタ）アクリレート、ポリカーボネートジオールジ（メタ）アクリレート、ε−カプロラクトン変性トリス（（メタ）アクリロキシエチル）イソシアヌレート、ビスフェノールＡエチレンオキサイド付加物ジ（メタ）アクリレート及びポリエステルジオールジ（メタ）アクリレート等の多官能性（メタ）アクリレート；グリシジル（メタ）アクリレート、アクリロイルモルホリン及びテトラヒドロフルフリル（メタ）アクリレート等のヘテロ環構造を有する（メタ）アクリレート；３−（メタ）アクリロキシプロピルトリメトキシシラン等の重合性（メタ）アクリロイル基を有するアルコキシシラン；２−メタクリロイルオキシエチルアシッドホスフェート及び２−ヒドロキシエチル（メタ）アクリレートの６−ヘキサノリド付加重合物と無水リン酸との反応生成物等のリン酸エステル系重合性単量体；（メタ）アクリルアミド、Ｎ−メチロール（メタ）アクリルアミド及びＮ，Ｎ−ジメチルアクリルアミド等の（メタ）アクリルアミド系重合性単量体等が挙げられる。これらは１種単独で又は２種以上を組み合わせて使用することができる。
【００１３】
（１）成分としては、（４）及び（５）成分との相溶性の点から、アルキル（メタ）アクリレート、水酸基含有（メタ）アクリレート、リン酸エステル系重合性単量体が好ましい。
【００１４】
（２）重合開始剤
本組成物に含まれる（２）は、本組成物の硬化剤であり、（３）と反応してラジカルを発生する。本組成物でラジカルが発生し（１）が重合する。（２）成分としては、例えば、ハイドロパーオキサイド、ジアシルパーオキサイド、パーオキシエステル、ジアルキルパーオキサイド、ケトンパーオキサイド、パーオキシケタール、アルキルパーエステル、パーカーボネート挙げられる。これらは単独で又は２種以上を併せて使用することができる。本組成物の硬化速度の点から、クメンハイドロパーオキサイドが好ましい。
【００１５】
本組成物における（２）成分の含有量は、（１）〜（５）成分の合計量を１００質量部としたとき、０．１質量部以上であることが好ましく、１質量部以上であることがより好ましい。また２０質量部以下であることが好ましく、１５質量部以下であることがより好ましい。（２）の含有量は多いほど硬化速度が速くなり、少ないほど（２）を含む第一剤の貯蔵安定性が良好となる。
【００１６】
（３）還元剤
本組成物に含まれる（３）は、本組成物の硬化促進剤であり、（２）と反応してラジカルを発生する。（３）成分としては、例えば、遷移金属塩、チオ尿素化合物が挙げられる。遷移金属塩の具体例としては、バナジルアセチルアセトネート、バナジウムアセチルアセトネート、ナフテン酸銅、ナフテン酸コバルトが挙げられる。チオ尿素化合物の具体例としては、チオ尿素、エチレンチオ尿素、Ｎ，Ｎ’−ジメチルチオ尿素、Ｎ，Ｎ’−ジエチルチオ尿素、Ｎ，Ｎ’−ジプロピルチオ尿素、Ｎ，Ｎ’−ジ−ｎ−ブチルチオ尿素、Ｎ，Ｎ’−ジラウリルチオ尿素、Ｎ，Ｎ’−ジフェニルチオ尿素、トリメチルチオ尿素、１−アセチル−２−チオ尿素、１−ベンゾイル−２−チオ尿素が挙げられる。反応性の点から、遷移金属塩が好ましく、中でもバナジルアセチルアセトネートがより好ましい。
【００１７】
本組成物における（３）成分の含有量は、（１）〜（５）成分の合計量を１００質量部としたとき、０．０５質量部以上であることが好ましく、０．１質量部以上であることがより好ましい。また１０質量部以下であることが好ましく、５質量部以下であることがより好ましい。（３）成分の含有量は多いほど硬化速度が速くなり、少ないほど（３）成分を含む第二剤の貯蔵安定性が良好となる。
【００１８】
（４）ポリオルガノシロキサンおよびポリアルキル（メタ）アクリレートを含む重合体
本組成物に含まれる（４）は、本組成物において粘度を調整するための成分である。また、この成分は本組成物を硬化してなる硬化物のせん断接着強度と剥離強度を両立させるための成分である。（４）であるポリオルガノシロキサンおよびポリアルキル（メタ）アクリレートを含む重合体とは、ビニル重合性官能基を有するポリオルガノシロキサンと、必要に応じてシロキサン系架橋剤とを重合させることで得られるシリコーンゴムに（メタ）アクリレートを重合して得られる重合体である。そしてこの（４）成分は、前記（１）成分に膨潤可能であることを要する。ここで「膨潤」とは樹脂が溶剤を吸収して膨れている状態のことをいう。トルエンなどの溶剤を樹脂に加え、体積膨張した樹脂を篩別し篩上に残った樹脂重量を測定することにより、膨潤の度合を「膨潤度」という指標で表すこともできる。（４）成分としては、例えば、三菱ケミカル株式会社製のメタブレンＳタイプ（商品名）やダイヤナールＬＰ−４２００（商品名）が挙げられる。これらは単独で又は２種以上を併せて使用することができる。
【００１９】
本組成物における（４）成分の配合量は、（１）〜（５）成分の合計１００質量部に対して１質量部以上であることが好ましく、３質量部以上であることがより好ましい。また１４質量部以下であることが好ましく、１０質量部以下であることがより好ましい。（４）成分の配合量は多いほど本引張せん断接着強度が高くなり、少ないほどＴ型剥離接着強度が高くなる。
【００２０】
（５）（メタ）アクリロイル基を有する重合性単量体に可溶なエラストマー
本組成物に含まれる（５）は、本組成物において粘度を調整するための成分である。また、この成分は接着剤組成物を硬化してなる硬化物の柔軟性を向上させるための成分である。（５）成分であるエラストマーとは、２５℃でゴム弾性を有する高分子量体である。（５）としては、例えば、ポリウレタン樹脂、シリコーン樹脂、アクリロニトリル−ブタジエン−スチレン共重合体、アクリロニトリル−スチレン共重合体、（メタ）アクリル酸エステル−ブタジエン共重合体、（メタ）アクリル酸エステル−ブタジエン−スチレン共重合体、（メタ）アクリル酸エステル−ブタジエン−アクリロニトリル−スチレン共重合体、スチレン−ブタジエンゴム、ポリブタジエンゴム、クロロプレンゴム、アクリロニトリル−ブタジエンゴムが挙げられる。これらは１種単独で又は２種以上を併せて使用してもよい。
【００２１】
（５）成分としては、（１）成分との相溶性の点から、アクリロニトリルの含有量が１５重量％以上のアクリロニトリルブタジエンゴムが好ましい。（５）成分の構造は、例えば、直鎖状、分岐鎖状、グラフト状が挙げられる。
【００２２】
本組成物における（５）成分の配合量は、（１）〜（５）成分の合計１００質量部に対して１質量部以上であることが好ましく、３質量部以上であることがより好ましい。また１４質量部以下であることが好ましく、１０質量部以下であることがより好ましい。（５）成分の配合量は多いほどＴ型剥離接着強度が高くなり、少ないほど本組成物の粘度が低下するので作業性が良好となる。
【００２３】
・その他の成分
本組成物には、本発明の効果を損なわない範囲で、（１）〜（５）成分以外のその他の成分（以下、「その他の成分」という。）を含んでもよい。その他の成分の具体例としては、ビニル系モノマー等のアクリル系以外のラジカル重合性単量体や、酸化防止剤、可塑剤、紫外線吸収剤、シランカップリング剤、消泡剤、重合禁止剤、無機微粒子等の各種添加剤が挙げられる。
【００２４】
その他の成分としては、本硬化物の強度向上のために、加熱によりラジカルを発生する熱重合開始剤（２）成分以外の過酸化物、アゾ化合物等、紫外線等の活性エネルギー線の照射によりラジカルを発生する光重合開始剤（１−ヒドロキシシクロヘキシルフェニルケトン等）を加えてもよい。
【００２５】
その他の成分としては、硬化時間を短縮するために、Ｎ，Ｎ−ジメチル−ｐ−トルイジン、Ｎ，Ｎ−ジイソプロピル−ｐ−トルイジン、Ｎ，Ｎ−ジ(２−ヒドロキシエチル)−ｐ−トルイジン等の第３級アミン化合物を加えてもよい。
【００２６】
その他の成分の含有量は、特に限定されないが、（１）〜（５）成分の合計１００質量部に対して、１０質量部以下が好ましく、５質量部以下がより好ましい。その他の成分の含有量は多すぎると、本組成物の常温における高速硬化性、接着強度が損なわれる場合がある。
【００２７】
・接着剤組成物
本組成物は、（２）成分を含み（３）成分を含まない第一剤と（３）成分を含み（２）成分を含まない第二剤を混合して得られる。このような混合は、通常は接着直前に行われる。第一剤と第二剤は混合してから被着体に塗布してもよいが、本組成物は硬化速度が速いことから、第一剤を一方の被着体に塗布し、第二剤をもう一方の被着体に塗布して、第一剤と第二剤が混ざるように両者を圧着することが好ましい。
【００２８】
第一剤と第二剤の組み合わせの具体例としては、（１）、（４）及び（５）成分の混合物に（２）成分を加えた第一剤と、（１）、（４）及び（５）成分の混合物に（３）成分を加えた第二剤との二剤型、（１）成分の混合物に（２）成分を加えた第一剤と、（３）成分からなる第二剤との二剤型、（２）成分からなる第一剤と、（１）、（４）及び（５）成分の混合物に（３）成分が溶解した第二剤との二剤型が挙げられる。
【００２９】
本組成物の製造方法としては、（１）、（４）及び（５）成分を加熱混合することで相溶した後に、常温まで冷却し、第一剤に（２）成分、第二剤に（３）及び（４）成分を混合する手法や、（１）、（４）及び（５）成分をプラネタリーミキサー等でせん断力を加えることで相溶した後、第一剤に（２）成分、第二剤に（３）成分を配合し、常温で混合する手法等が挙げられる。本硬化物は、二剤を混合し、重合反応を起こすことにより得られる。また、本発明の接合体は、第一剤、第二剤を混合したものを被着体に塗布する接着方法や、第一剤、第二剤を別々に塗布した被着体を貼り合わせる接着方法などで得られる。また、先端で二剤を混合できるような構造を有する２剤型接着剤塗布機を用いることもできる。
・被着体
本組成物により二つの被着体を接合したものは、接着強度に優れる。被着体としては特に限定されないが、例えば、金属、紙、木材、セラミック、ガラス、陶磁器、ゴム、プラスチック、モルタル、コンクリート等が挙げられるが、特に接着強度が高い点で金属が好ましい。前記二つの被着体を複数組み合わせた構造体としてもよい。
【実施例】
【００３０】
以下、本発明を実施例により説明する。以下において、「部」は「質量部」を意味する。実施例及び比較例における接着強度の評価は、以下の方法で実施した。各種測定及び評価方法は以下の通りである。
【００３１】
[引張せん断接着強度の評価] 
ＪＩＳＫ６８５０に準じて評価した。２枚のＳＰＣＣ板（長さ１００ｍｍ×幅２５ｍｍ×厚み１．６ｍｍ）の表面をアセトンによって脱脂した。各例の第一剤及び第二剤を等量（各１０ｇ）混合した接着剤組成物を調製した。
この接着剤組成物を用いて、ＪＩＳＫ６８５０に記載の通り、２枚のＳＰＣＣ板の短辺同士を重ね合わせるようにして、被着面積が１２．５ｍｍ×２５ｍｍとなるように貼り合わせ、クリップで固定した。はみ出した接着剤組成物を取り除いた後、２３℃で２４時間養生後、クリップを取り除いて、接着試験体を得た。得られた試験体を引張り速度１ｍｍ／分で引張り、引張せん断接着力（単位：Ｎ）を測定し、得られた接着力を被着面積で除して、せん断接着強度（単位：ＭＰａ）として記録した。
得られた測定値から、下記基準にて引張せん断接着強度を判定した。引張せん断接着強度は１８．０ＭＰａ以上あれば良好である。
○：２０．０ＭＰａ以上
△：１８．０ＭＰａ以上２０．０ＭＰａ未満
×：１８．０ＭＰａ未満
○優良、△良、×不可
【００３２】
[Ｔ型剥離接着の評価] 
ＪＩＳＫ６８５４−３に準じて評価した。２枚のＳＰＣＣ板（長さ２００ｍｍ×幅２５ｍｍ×厚み０．３ｍｍ）の表面をアセトンによって脱脂した。各例の第一剤及び第二剤を等量（各１０ｇ）混合した接着剤組成物を調製した。
この接着剤組成物を用いて、ＪＩＳＫ６８５４−３に記載の通り、２枚のＳＰＣＣ板の重ね合わせるようにして、被着面積が１５０ｍｍ×２５ｍｍとなるように貼り合わせ、クリップで固定した。はみ出した接着剤組成物を取り除いた後、２３℃で２４時間養生後、クリップを取り除いて、接着試験体を得た。
得られた試験体を引張り速度１００ｍｍ／分で引張り、最初の２５ｍｍと最後の２５ｍｍを除いたＴ型剥離接着力（単位：Ｎ）を記録した曲線から平均剥離接着力を読み取る。得られた平均剥離接着力を２５ｍｍで除して、Ｔ型剥離接着強度（単位：ｋＮ／ｍ）として記録した。
得られた測定値から、下記基準にてＴ型剥離接着強度を判定した。Ｔ型剥離接着強度は３．０ｋＮ／ｍ以上あれば良好である。
○：４．０ｋＮ／ｍ以上
△：３．０ｋＮ／ｍ以上４．０ｋＮ／ｍ未満
×：３．０ｋＮ／ｍ未満
○優良、△良、×不可
【００３３】
[実施例１]
表１に示す配合で接着剤組成物第一剤と第二剤を調製した。具体的な調製方法を以下に示す。
【００３４】
第一剤の調製
攪拌機、温度計、冷却管付きの１Ｌフラスコに（１）（メタ）アクリロイル基を有する重合性単量体としてメチルメタクリレート（三菱ケミカル社製、商品名：アクリエステルＭ）６５質量部、水酸基を含有する（メタ）アクリル酸エステル単量体として２−ヒドロキシエチルメタクリレート（三菱ケミカル社製、商品名：アクリエステルＨＯ）２０質量部、（４）ポリオルガノシロキサンおよびポリアルキルメタアクリレートを含む重合体としてダイヤナールＬＰ−４２００  ５質量部、（５）（メタ）アクリル酸エステル単量体に可溶なエラストマーとして、アクリロニトリルの含有量が１８重量％のアクリロニトリル−ブタジエンゴム（日本ゼオン社製、商品名：ＤＮ４０１ＬＬ）１０質量部、重合禁止剤として０．０５部のＢＨＴ、パラフィンワックスとしてＰ−１５０（日本精蝋社製、商品名：パラフィンワックス１５０）０．２質量部とＰ−１３０（日本精蝋社製、商品名：パラフィンワックス１３０）０．２質量部とＰ−１１５（日本精蝋社製、商品名：パラフィンワックス１１５）を配合した。
【００３５】
次いで、フラスコ内温を６０℃まで昇温して、２時間撹拌し、均一な乳白色分散液を得た。その後、フラスコ内を３０℃以下となるまで冷却した。冷却したフラスコ内に（２）重合開始剤としてクメンハイドロパーオキサイド（化薬アクゾ社製、商品名：カヤクメンＨ）５質量部を加え、室温で１時間撹拌を継続して均一化した接着剤組成物を得た。
【００３６】
第２剤の調製
攪拌機、温度計、冷却管付きの１Ｌフラスコに（１）（メタ）アクリロイル基を有する重合性単量体としてメチルメタクリレート（三菱ケミカル社製、商品名：アクリエステルＭ）６５質量部、２−ヒドロキシエチルメタクリレート（三菱ケミカル社製、商品名：アクリエステルＨＯ）２０質量部、（４）ポリオルガノシロキサンおよびポリアルキルメタアクリレートを含む重合体としてダイヤナールＬＰ−４２００  ５質量部、（５）（メタ）アクリロイル基を有する重合性単量体に可溶なエラストマーとして、アクリロニトリルの含有量が１８重量％のアクリロニトリル−ブタジエンゴム（日本ゼオン社製、商品名：ＤＮ４０１ＬＬ）１０質量部、重合禁止剤として０．０５部のＢＨＴ、パラフィンワックスとしてＰ−１５０（日本精蝋社製、商品名：パラフィンワックス１５０）０．２質量部とＰ−１３０（日本精蝋社製、商品名：パラフィンワックス１３０）０．２質量部とＰ−１１５（日本精蝋社製、商品名：パラフィンワックス１１５）を配合した。
次いで、フラスコ内温を６０℃まで昇温して、２時間撹拌し、均一な乳白色分散液を得た。その後、フラスコ内を３０℃以下となるまで冷却した。冷却したフラスコ内に（１）（メタ）アクリロイル基を有する重合性単量体としてとして、ＰＭ−２１（日本化薬社製、商品名：ＫＡＹＡＭＥＲ  ＰＭ―２１）５質量部、（３）還元剤として、バナジルアセチルアセトネート（新興化学工業社製、商品名：バナジルアセチルアセトネート）を加え、室温で１時間撹拌して均一化した接着剤組成物を得た。
【００３７】
【表１】
2020026507.tif 000002
【００３８】
[実施例２]
表１に示すように各成分の組成比を変更した以外は、実施例１と同様にして接着剤組成物を得た。
【００３９】
[比較例１]
（４）ポリオルガノシロキサンおよびポリアルキルメタアクリレートを含む重合体を含まないこと以外は、実施例１と同様にして接着剤組成物を得た。
【００４０】
[比較例２]
（５）（メタ）アクリロイル基を有する重合性単量体に可溶なエラストマーを含まないこと以外は、実施例１と同様にして接着剤組成物を得た。
【００４１】
評価結果を表２に示した。
【００４２】
【表２】
2020026507.tif 000003
【００４３】
表２の結果から、（４）及び（５）の両方を含有する本接着剤組成物を用いた実施例１及び２では、Ｔ型剥離接着強度及び引張せん断接着強度が高く良好であった。しかしながら、（５）成分のみを含有する比較例１と、（４）成分のみ含有する比較例２は引張せん断接着強度もしくはＴ型剥離接着強度のいずれかが不良であった。